(57)【要約】【課題】パート構成が上位機種より少ない下位機種でも、上位機種の設定データを有効に使用することができる電子楽器の設定データ利用システムを提供すること。【解決手段】このシステムでは、電子楽器に備えられた複数の発音系列ＳＵ１〜ＳＰ２の発音機能を設定するのに用いられる設定データには、各発音系列の発音オン／オフ情報又は音量値情報が含まれる。上位機種の電子楽器ＥＭａに対応した設定データＲｇａを利用して下位機種の電子楽器ＥＭｂの発音機能を設定する場合（設定データＲｇａに設定されている発音系列の数＞電子楽器ＥＭｂの発音系列数）、設定データＲｇａについて各発音系列ｓｕ１〜ｓｐ２の発音オン／オフ情報又は音量値情報をチェックし、このチェック結果（例えば、Ｃａ１）に応じて、設定データＲｇａに含まれる所定系列の発音手段（同ｓｕ４）の発音機能を電子楽器ＥＭｂの所定系列の発音手段（同ＳＵ３）に割り当てる。【選択図】図５
2008292771.tif 000002
【特許請求の範囲】
【請求項１】
複数系列の発音手段を備えた電子楽器であって、
複数系列の発音手段の夫々について発音機能を設定し少なくとも発音オン／オフ情報又は音量値情報を含む設定データを読み込む読込み手段と、
読込み手段により読み込まれた設定データに設定されている発音手段の系列数が、この電子楽器に備えられた発音手段の系列数より多い場合、該読み込まれた設定データについて各発音手段の発音オン／オフ情報又は音量値情報を比較し、比較結果に応じて、当該設定データに設定されている所定系列の発音手段の発音機能を、この電子楽器に備えられた所定系列の発音手段に割り当てる割当て手段と
を具備することを特徴とする電子楽器。
【請求項２】
複数の演奏操作子系列を備え、
前記発音手段は、各演奏操作子系列ごとに１乃至複数系列が設けられ、
前記設定データは、複数の演奏操作子系列の夫々に対応する１乃至複数系列の発音手段について発音機能を設定するものである
ことを特徴とする請求項１に記載の電子楽器。
【請求項３】
前記割当て手段は、前記場合に、前記読込み手段により読み込まれた設定データについて、発音手段の系列数がこの電子楽器より多い演奏操作子系列に対応する特定系列の発音手段の発音オン／オフ情報又は音量値情報を比較し、比較結果に応じて、上記特定系列中の所定系列の発音手段の発音機能を、この電子楽器に備えられた所定系列の発音手段に割り当てることを特徴とする請求項２に記載の電子楽器。
【請求項４】
さらに、
前記割当て手段による割当てに起因して各演奏操作子系列の発音手段の間に発生する音量バランスの変化を調整するバランス調整手段
を具備することを特徴とする請求項２又は３に記載の電子楽器。
【請求項５】
複数系列の発音手段を備え電子楽器として機能するコンピュータに、
複数系列の発音手段の夫々について発音機能を設定し少なくとも発音オン／オフ情報又は音量値情報を含む設定データを読み込む読込みステップと、
読込みステップで読み込まれた設定データに設定されている発音手段の系列数が、このコンピュータに備えられた発音手段の系列数より多い場合、該読み込まれた設定データについて各発音手段の発音オン／オフ情報又は音量値情報を比較し、比較結果に応じて、当該設定データに設定されている所定系列の発音手段の発音機能を、このコンピュータに備えられた所定系列の発音手段に割り当てる割当てステップと
から成る手順を実行させる設定データ利用プログラム。
【発明の詳細な説明】
【技術分野】
【０００１】
この発明は、上位機種の設定データを下位機種に読み込んだ場合の互換性を向上することができる電子楽器の設定データ利用システムに関する。
【背景技術】
【０００２】
例えば、特許文献１には、上側鍵盤、下側鍵盤及びペダル鍵盤（演奏操作子系列）にそれぞれ複数の発音処理を対応付けた電子楽器が開示されている。このような電子楽器では、各発音処理の系列（パート）の音色や音量の設定データをレジストレーションデータとして保存し再生することができるが、機種によってパート構成の規模が異なり、設定データには、どの機種で保存されたデータかの情報が含まれている。
【特許文献１】特開２００５−１８９５０５号公報
【０００３】
例えば、上位機種の電子楽器では、第１上鍵盤パート（ＵＫ１）、第２上鍵盤パート（ＵＫ２）、第１リードパート（Ｌｅａｄ１）及び第２リードパート（Ｌｅａｄ２）が上鍵盤に、第１下鍵盤パート（ＬＫ１）及び第２下鍵盤パート（ＬＫ２）が下鍵盤に、第１ペダルパート（ＰＫ１）及び第２ペダルパート（ＰＫ２）がペダル鍵盤に夫々アサインされるのに対して、下位機種の電子楽器では、上鍵盤に、第１上鍵盤パート（ＵＫ１）、第２上鍵盤パート（ＵＫ２）及び第１リードパート（Ｌｅａｄ１）がアサインされ、下鍵盤並びにペダル鍵盤には、上位機種と同様に、第１及び第２下鍵盤パート（ＬＫ１，ＬＫ２）並びに第１及び第２ペダルパート（ＰＫ１，ＰＫ２）がアサインされることがある。
【０００４】
このようなパート構成では、上位機種の設定データを下位機種で再生すると、第１及び第２上鍵盤パート（ＵＫ１，ＵＫ２）、第１リードパート（Ｌｅａｄ１）、第１及び第２下鍵盤パート（ＬＫ１，ＬＫ２）並びに第１及び第２ペダルパート（ＰＫ１，ＰＬＫ２）は、上位機種と同じような音色や音量に設定されるが、第２リードパート（Ｌｅａｄ２）については、パートが無いので発音されない。ここで、上位機種の設定で、第２リードパート（Ｌｅａｄ２）は音量が上がっているが、第１及び第２上鍵盤パート（ＵＫ１，ＵＫ２）並びに第１リードパート（Ｌｅａｄ１）は音量を０レベル又は小レベルにしている場合に、下位機種で再生すると、上鍵盤を演奏しても音が聞こえず、そのままでは使えないのでユーザは設定データを変更しなければならない。
【発明の開示】
【発明が解決しようとする課題】
【０００５】
この発明は、このような不都合に鑑み、パート構成が上位機種より少ない下位機種でも、上位機種の設定データを有効に使用することができる電子楽器の設定データ利用システムを提供することを目的とする。
【課題を解決するための手段】
【０００６】
この発明の主たる特徴に従うと、複数系列の発音手段（ＳＵ１〜ＳＰ２）を備えた電子楽器（ＥＭｂ）であって、複数系列の発音手段（ｓｕ１〜ｓｐ２）の夫々について発音機能を設定し少なくとも発音オン／オフ情報又は音量値情報を含む設定データ（Ｓｇ）を読み込む読込み手段（Ｓ１）と、読込み手段により読み込まれた設定データ（Ｓｇ）に設定されている発音手段（ｓｕ１〜ｓｐ２）の系列数（「８」）が、この電子楽器（ＥＭｂ）に備えられた発音手段（ＳＵ１〜ＳＰ２）の系列数（「７」）より多い場合（Ｓ２＝ＹＥＳ，Ｓｇ＝Ｓｇａ）、該読み込まれた設定データ（Ｓｇａ）について複数の所定系列の発音手段（ｓｕ１〜ｓｐ２）の発音オン／オフ情報又は音量値情報を比較し、比較結果（Ｃａ）に応じて、当該設定データ（Ｓｇａ）に設定されている各発音手段の発音機能を、この電子楽器（ＥＭｂ）に備えられた所定系列の発音手段に割り当てる割当て手段（Ｓ３〜Ｓ５）とを具備する電子楽器〔請求項１〕、並びに、複数系列の発音手段（ＳＵ１〜ＳＰ２）を備え電子楽器として機能するコンピュータ（ＥＭｂ）に、複数系列の発音手段（ｓｕ１〜ｓｐ２）の夫々について発音機能を設定し少なくとも発音オン／オフ情報又は音量値情報を含む設定データ（Ｓｇ）を読み込む読込みステップ（Ｓ１）と、読込みステップで読み込まれた設定データ（Ｓｇ）に設定されている発音手段（ｓｕ１〜ｓｐ２）の系列数（「８」）が、このコンピュータ（ＥＭｂ）に備えられた発音手段（ＳＵ１〜ＳＰ２）の系列数（「７」）より多い場合（Ｓ２＝ＹＥＳ，Ｓｇ＝Ｓｇａ）、該読み込まれた設定データ（Ｓｇａ）について各発音手段（ｓｕ１〜ｓｐ２）の発音オン／オフ情報又は音量値情報を比較し、比較結果（Ｃａ）に応じて、当該設定データ（Ｓｇａ）に設定されている所定系列の発音手段の発音機能を、このコンピュータ（ＥＭｂ）に備えられた所定系列の発音手段に割り当てる割当てステップ（Ｓ３〜Ｓ５）とから成る手順を実行させる設定データ利用プログラム〔請求項５〕が提供される。なお、括弧書きは、理解の便のために付記した実施例の参照記号や用語等を表わし、以下においても同様である。
【０００７】
この発明による電子楽器（ＥＭｂ）は、複数の演奏操作子系列（ＵＫｂ；ＬＫｂ；ＰＫｂ）を備え、発音手段（ＳＵ１〜ＳＰ２）は、各演奏操作子系列ごとに１乃至複数系列（ＳＵ１〜ＳＵ３；ＳＬ１，ＳＬ２；ＳＰ１，ＳＰ２）が設けられ、設定データ（Ｓｇ）は、複数の演奏操作子系列（ＵＫａ；ＬＫａ；ＰＫａ）の夫々に対応する１乃至複数系列の発音手段（ｓｕ１〜ｓｕ３；ｓｌ１，ｓｌ２；ｓｐ１，ｓｐ２）について発音機能を設定するものである〔請求項２〕ように構成することができる。
【０００８】
この電子楽器（ＥＭｂ）では、割当て手段（Ｓ３〜Ｓ５）は、前記場合に、読込み手段（Ｓ１）により読み込まれた設定データについて、発音手段の系列数がこの電子楽器（ＥＭｂ）より多い演奏操作子系列（ＵＫａ）に対応する特定系列の発音手段（ｓｕ１〜ｓｕ４）の発音オン／オフ情報又は音量値情報を比較し、比較結果（Ｃａ１〜Ｃａｅ）に応じて、特定系列中の所定系列の発音手段〔ｓｕ３，ｓｕ３（ｓｌ３），ｓｕ４〕の発音機能を、この電子楽器に備えられた所定系列の発音手段〔ＳＵ１，ＳＵ３，ＳＵ３（ＳＬ３）〕に割り当てる〔請求項３〕ように構成することができる。また、この電子楽器（ＥＭｂ）は、さらに、割当て手段（Ｓ３〜Ｓ５）による割当てに起因して各演奏操作子系列（ＵＫｂ；ＬＫｂ；ＰＫｂ）の発音手段（ＳＵ１〜ＳＵ３；ＳＬ１，ＳＬ２；ＳＰ１，ＳＰ２）の間に発生する音量バランスの変化を調整するバランス調整手段（Ｓ６）を具備する〔請求項４〕ように構成することができる。
【発明の効果】
【０００９】
この発明による電子楽器の設定データ利用システムは（請求項１，４）、複数系列の発音手段（ＳＵ１〜ＳＰ２）を備えた電子楽器（ＥＭ：ＥＭａ，ＥＭｂ）に適用され、各発音手段に設定データ（Ｒｇ：Ｒｇａ，Ｒｇｂ）により発音機能を割り当てて演奏環境を設定することができる。ここで、設定データ（Ｒｇ）は、複数系列の発音手段（ｓｕ１〜ｓｐ２）の夫々について発音機能を設定したものであり、少なくとも発音オン／オフ情報又は音量値情報を含んでいる。また、上位機種の電子楽器（ＥＭａ）は下位機種の電子楽器（ＥＭｂ）より発音手段の系列数が多く、設定データ（Ｒｇ）には上位機種（ＥＭａ）に対応したもの（Ｒｇａ）と下位機種（ＥＭｂ）に対応したもの（Ｒｇｂ）とがある。或る電子楽器（ＥＭｂ）において、演奏環境を設定するために設定データ（Ｓｇ）を読み込むと（Ｓ１）、設定データ（Ｓｇ）に設定されている発音手段（ｓｕ１〜ｓｐ２）の系列数（「８」）が、電子楽器（ＥＭｂ）に備えられた発音手段（ＳＵ１〜ＳＰ２）の系列数（「７」）より多い場合は（Ｓ２＝ＹＥＳ）、読み込まれた設定データ（Ｓｇ）が上位機種に対応したもの（Ｒｇａ）であるため、この設定データ（Ｓｇａ）について各発音手段（ｓｕ１〜ｓｐ２）の発音オン／オフ情報又は音量値情報を比較し、比較結果（Ｃａ）に応じて、当該設定データ（Ｓｇａ）に設定されている重要な所定系列の発音手段の発音機能をこの電子楽器（ＥＭｂ）の対応する系列の発音手段に割り当てる（Ｓ３〜Ｓ５）。
【００１０】
つまり、この発明では、複数の発音系列（パートＳＵ１〜ＳＰ２）を備える電子楽器（ＥＭｂ）において上位機種の電子楽器（ＥＭａ）の設定データ（Ｒｇａ）を再生する場合、設定データ（Ｒｇａ）について各発音系列（パートｓｕ１〜ｓｐ２）の音量等をチェックし、チェック結果（Ｃａ）に応じて、所定発音系列の設定情報に従った重要な発音機能を、下位機種である当該電子楽器（ＥＭｂ）の対応する発音系列に割り当てる。例えば、上位機種（ＥＭａ）には有るが下位機種（ＥＭｂ）には無いパート（ｓｕ４）のみが音が聞こえる（音量が上がってる）状態になっている設定データ（Ｒｇａ）を読み込んで再生する場合（Ｃａ１）、下位機種（ＥＭｂ）に無い当該パート（ｓｕ４）の設定情報を、下位機種（ＥＭｂ）には有るが設定データ（Ｒｇａ）では音が聞こえない状態に設定されているパート（ＳＵ３）にコピーすることにより、自動的に、下位機種（ＥＭｂ）でも設定データ（Ｒｇａ）を使用可能な状態にすることができる。つまり、この電子楽器（ＥＭｂ）では、下位機種に無いパートだけでメロディーやハーモニーを演奏するような上位機種の設定データ（Ｒｇａ）を再生しても、それなりのバランスで既存のパートを使用して演奏することができる。従って、この発明によれば、パート構成が上位機種より少ない下位機種でも上位機種の設定データを有効に使用することができる。
【００１１】
この発明は、複数の演奏操作子系列と、これら演奏操作子系列ごとに１乃至複数系列の発音手段とを備える電子楽器（ＥＭｂ）に適用し、複数の演奏操作子系列の夫々に対応する１乃至複数系列の発音手段について発音機能を設定した設定データ（Ｓｇ）を用いることができる（請求項２）。例えば、電子楽器（ＥＭｂ）の演奏操作子として、上鍵盤、下鍵盤及びペダル鍵盤という複数種類の鍵盤が設けられている場合は、各鍵盤を演奏操作子系列（ＵＫｂ；ＬＫｂ；ＰＫｂ）とし、これと同様に各演奏操作子系列（ＵＫａ；ＬＫａ；ＰＫａ）に対応する１乃至複数系列の発音手段（ｓｕ１〜ｓｕ３；ｓｌ１，ｓｌ２；ｓｐ１，ｓｐ２）について発音機能を設定した設定データ（Ｓｇａ）を用いて、演奏操作子系列（ＵＫｂ；ＬＫｂ；ＰＫｂ）毎に１乃至複数系列の発音手段（パートＳＵ１〜ＳＵ３；ＳＬ１，ＳＬ２；ＳＰ１，ＳＰ２）を割り当てる（アサインする）ことができる。また、１つの鍵盤であっても、鍵盤上のスプリットポイントで左右に分けられた鍵域を演奏操作子系列とし、同様の設定データを用いて、各演奏操作子系列（左鍵域，右鍵域）毎に１乃至複数系列の発音手段（レフト；ライト１，ライト２）を割り当てることができる。
【００１２】
この電子楽器（ＥＭｂ）は、演奏操作子系列（ＵＫｂ；ＬＫｂ；ＰＫｂ）に対応して１乃至複数系列の発音手段（ＳＵ１〜ＳＵ３；ＳＬ１，ＳＬ２；ＳＰ１，ＳＰ２）を備え、同様の系列構成を持つ上位機種電子楽器（ＥＭａ）の設定データ（Ｒｇａ）に従って各発音手段に発音機能を割り当てる場合には（Ｓ３〜Ｓ５）、設定データ（Ｒｇａ）について、発音手段の系列数がこの電子楽器（ＥＭｂ）より多い演奏操作子系列（ＵＫａ）に対応する特定系列の発音手段（ｓｕ１〜ｓｕ４）の発音オン／オフ情報又は音量値情報をチェックする（請求項３）。これにより、チェック結果（Ｃａ＝Ｃａ１；Ｃａ２；Ｃａ３；Ｃａｅ）に応じて、特定系列（ｓｕ１〜ｓｕ４）中の所定系列の発音手段〔Ｃａ１＝ｓｕ４；Ｃａ２＝ｓｕ３（ｓｌ３），ｓｕ４；Ｃａ３＝ｓｕ４；Ｃａｅ＝ｓｕ３〕の発音機能をこの電子楽器（ＥＭｂ）における所定系列の発音手段〔Ｃａ１＝ＳＵ３；Ｃａ２＝ＳＵ３（ＳＬ３），ＳＵ１；Ｃａ３＝ＳＵ３；Ｃａｅ＝ＳＵ３〕に割り当てることができる。
【００１３】
この場合、上位機種（ＥＭａ）の設定データ（Ｒｇａ）を利用してを割り当てる（Ｓ３〜Ｓ５）ことにより、電子楽器（ＥＭｂ）の発音系列（ＳＵ１〜ＳＰ２）が設定データ（Ｒｇａ）の発音系列（ｓｕ１〜ｓｐ２）から減少して各演奏操作子系列（ＵＫｂ；ＬＫｂ；ＰＫｂ）の発音手段（ＳＵ１〜ＳＵ３；ＳＬ１，ＳＬ２；ＳＰ１，ＳＰ２）の間で音量バランスが崩れることがあるが、この電子楽器（ＥＭｂ）では、バランス調整手段（Ｓ６）により、音量バランスの変化を調整して各演奏操作子系列（ＵＫｂ；ＬＫｂ；ＰＫｂ）間でバランスを平衡させることができる（請求項４）。
【発明を実施するための最良の形態】
【００１４】
以下、図面を参照しつつ、この発明の好適な実施の形態について詳述するが、これは単なる一例であって、この発明の精神を逸脱しない範囲で種々の変更が可能である。
【００１５】
〔電子楽器のハードウエア構成〕
図１は、この発明の一実施例による電子楽器のハードウエア構成例を示すブロック図である。この電子楽器ＥＭには、中央処理装置（ＣＰＵ）１、ランダムアクセスメモリ（ＲＡＭ）２、読出専用メモリ（ＲＯＭ）３、外部記憶装置４、演奏操作検出回路５、パネル操作検出回路６、表示回路７、音源・効果回路８、通信インターフェース（通信Ｉ／Ｆ）９などが備えられ、これらの装置１〜９はバス１０を介して互いに接続されている。
【００１６】
ＣＰＵ１は、ＲＡＭ２及びＲＯＭ３と共に制御部として機能し、所定のソフトウエア・プログラムに従い、設定データ利用処理を含む各種楽音情報処理を実行する。ＲＡＭ２は、これらの処理に際して必要な各種データやパラメータを一時記憶するためのワーク領域として用いられる。ＲＯＭ３には、設定データ利用処理などの楽音情報処理を実行するための各種制御プログラムや設定データなどの各種データ等が記憶される。
【００１７】
記憶装置（外部記憶装置）４は、ハードディスク、ＦＤ〔フレキシブルディスク又はフロッピー（登録商標）ディスク〕、ＣＤ（コンパクトディスク）、ＤＶＤ（デジタル多目的ディスク）、フラッシュメモリなどの半導体メモリなどの記憶媒体と、その駆動装置を含む。また、記憶媒体は着脱可能な可搬性のものであってもよいし、電子音楽装置に内蔵されていてもよく、ＵＳＢメモリは可搬性の記憶媒体に含まれるものとする。記憶装置４には、上述した各種制御プログラムや各種制御データ等を保存しておくことができる。
【００１８】
演奏操作検出回路５には、上鍵盤ＵＫ、下鍵盤ＬＫ及びペダル鍵盤ＰＫなどを含む演奏操作子１１が接続され、演奏操作子１１のユーザ操作に基づく演奏信号を演奏操作検出回路５で処理して演奏情報として制御部に導入する。パネル操作検出回路６には、各種キーやスイッチなどを含むパネル操作子１２が接続され、パネル操作子１２のユーザ操作に基づく設定／制御操作内容をパネル操作検出回路で検出して制御部に導入する。表示回路７には、ディスプレイ（ＬＣＤ等の表示器）や各種インジケータ（ランプ）などの表示要素１３が接続され、制御部から表示回路を通じて、表示要素１３の表示内容や点灯状態を制御し、操作子１１，１２の操作に対する表示援助を行う。
【００１９】
音源や効果付与ＤＳＰを含む音源・効果回路８は、演奏操作子１１の各鍵盤系列ＵＫ〜ＰＫに対応して、１乃至複数系列から成る発音手段ＳＵ〜ＳＰを備える楽音信号生成部であり、レジストレーションデータと呼ばれる設定データにより各発音系列ＳＵ〜ＳＰに割り当てられた設定内容に従い、各鍵盤ＵＫ〜ＰＫの操作に基づく演奏情報に対応する楽音信号を生成する。音源・効果回路８に接続されるサウンドシステム１４は、Ｄ／Ａ変換部やアンプ、スピーカを備え、音源・効果回路８からの楽音信号に基づく楽音を発生する。
【００２０】
通信Ｉ／Ｆ９は、ＭＩＤＩなどの音楽専用有線Ｉ／Ｆ、ＵＳＢやＩＥＥＥ１３９４などの汎用近距離有線Ｉ／Ｆ、Ｅｔｈｅｒｎｅｔ（登録商標）などの汎用ネットワークＩ／Ｆ、無線ＬＡＮやＢｌｕｅｔｏｏｔｈ（登録商標）などの汎用近距離無線Ｉ／Ｆなどの１又は複数のＩ／Ｆを含む。従って、通信Ｉ／Ｆ９を通じて、他のＭＩＤＩ機器やサーバなどの外部機器から制御プログラムなどを受信したり、外部機器と各種音楽情報を送受することができる。これら外部機器は、図１と同様のハードウエア構成を有するが、サーバの場合は演奏操作子や音源などはなくてもよい。なお、ＵＳＢＩ／Ｆに接続されるＵＳＢメモリは、上述のように記憶装置４に含まれるものとして説明する。
【００２１】
〔発音系列の構成例〕
図２は、この発明の一実施例による電子楽器の発音系列構成を示す。この例では、“電子オルガン”と呼ばれる電子楽器ＥＭが用いられ、上位機種の電子楽器ＥＭａと下位機種の電子楽器ＥＭｂがあり、両機種の電子楽器ＥＭａ，ＥＭｂともに、前述したように、３種類の演奏操作子系列、即ち、上鍵盤系列（第１演奏操作子系列）ＵＫａ，ＵＫｂ、下鍵盤系列（第２演奏操作子系列）ＬＫａ，ＬＫｂ、ペダル鍵盤系列（第３演奏操作子系列）ＰＫａ，ＰＫｂを備えるが、“パート”と呼ばれる発音手段の構成は機種ＥＭａ，ＥＭｂ間で図示のように相違する。すなわち、上位機種ＥＭａの音源・効果回路８が合計８系列の発音手段ＳＵ１〜ＳＵ４；ＳＬ１，ＳＬ２；ＳＰ１，ＳＰ２を備えるのに対して、下位機種ＥＭａの音源・効果回路８は合計７系列の発音手段ＳＵ１〜ＳＵ３；ＳＬ１，ＳＬ２；ＳＰ１，ＳＰ２を備える。
【００２２】
上位機種ＥＭａの上鍵盤ＵＫａに対応する４系列の発音手段ＳＵ１〜ＳＵ４のうち、第１及び第２の発音手段ＳＵ１，ＳＵ２は、上鍵盤ＵＫａの鍵操作に基づく楽音信号を夫々の発音態様（例えば、異なる音色）で生成するのに用いられ、夫々「アッパー１パート」（又は単に「アッパー１」）及び「アッパー２パート」（又は単に「アッパー２」）と呼ばれる。また、第３及び第４の発音手段ＳＵ３，ＳＵ４は上鍵盤ＵＫａの複数鍵操作時の最高音に基づく楽音信号を夫々の発音態様（例えば、異なる音色）で生成するのに用いられ、同様に、夫々「リード１（パート）」及び「リード２（パート）」と呼ばれる。
【００２３】
同様に、下鍵盤ＬＫａに対応する２系列の発音手段ＳＬ１，ＳＬ２は、下鍵盤ＬＫａの操作に基づく楽音信号を異なる発音態様で生成するのに用いられ、それぞれ、「ロワー１（パート）」及び「ロワー２（パート）」と呼ばれ、ペダル鍵盤ＰＫａに対応する２系列の発音手段ＳＰ１，ＳＰ２は、ペダル鍵盤ＰＫａの鍵操作に基づく楽音信号を異なる発音態様で生成するのに用いられ、それぞれ、「ペダル１（パート）」及び「ペダル２（パート）」と呼ばれる。つまり、パート名に「１」及び「２」を含む発音系列では、同一鍵操作に対して異なる発音態様の２音を重ねて発生することができる。
【００２４】
これに対して、下位機種ＥＭｂでは、各鍵盤ＵＫｂ；ＬＫｂ；ＰＫｂに対応する第１及び第２の発音手段ＳＵ１，ＳＵ２；ＳＬ１，ＳＬ２；ＳＰ１，ＳＰ２の発音機能は上位機種ＥＭａと同様であるが、上鍵盤ＵＫｂに対応する第３の発音手段ＳＵ３は、「リード（パート）」と呼ばれ、上鍵盤ＵＫｂの複数鍵が操作された時の最高音に基づく１つの楽音信号を生成するのに用いられる。
【００２５】
つまり、上位機種ＥＭａにおいては、上鍵盤ＵＫａの操作により、アッパー１、アッパー２、リード１及びリード２の各発音系列ＳＵ１〜ＳＵ４が同時に発音される。ただし、リード１及びリード２では、同時に押鍵されている複数鍵のうちの最高鍵の音のみが発音される。一方、下位機種ＥＭｂにおいては、リードが１系統（ＳＵ３）しかない。また、下鍵盤ＬＫａ；ＬＫｂの操作により発音されるロワー１及びロワー２の発音系列ＳＬ１，ＳＬ２と、ペダル鍵盤ＰＫａ；ＰＫｂの操作により発音されるペダル１及びペダル２の発音系列ＳＰ１，ＳＰ２とは、上位機種ＥＭａ及び下位機種ＥＭｂに共通である。
【００２６】
なお、上位及び下位機種ＥＭａ，ＥＭｂの上鍵盤系列ＵＫａ，ＵＫｂに対応するリード１及びリードの発音系列ＳＵ３は、「ｔｏロワー」と呼ばれる鍵盤割当て変更の機能が設定され、ｔｏロワー機能オンにより下鍵盤ＬＫａ；ＬＫｂの操作による発音に変更することができる。以下の説明では、発音系列ＳＵ３については、ｔｏロワー機能オンが設定されている場合、リード１ｔｏロワー及びリードｔｏロワーの発音系列ＳＬ３で表わす。
【００２７】
各発音系列ｓｕ１〜ｓｐ２；ＳＵ１〜ＳＰ２の発音制御特性については、複数の音色の中からそれぞれ任意に音色を選択することができる。また、音量バランスも変えることができるし、発音する／しないの選択も設定することができる。なお、この例では、リード２の発音系列ＳＵ４だけ、他の系列とは異なる発音方式を選択できるものとする。例えば、リード２だけは物理モデル発音方式の音色を選択することができるが、他の系列は波形メモリ方式の音色とする。
【００２８】
〔レジストレーション〕
この発明の一実施例による電子楽器の設定データ利用システムにおいては、設定操作子の操作により各発音系列について設定された種々の設定情報は、レジストレーションデータとして任意の記憶装置に保存することができる。図３は、この発明の一実施例による電子楽器の設定データ利用システムで利用されるレジストレーションの例を示す。
【００２９】
レジストレーションデータＲｇは、図３（１）に示すように、電子楽器ＥＭ：ＥＭａ，ＥＭｂの主として音源・効果回路に関する演奏環境を設定するためのデータであり、機種情報、発音系列設定情報及びその他情報で構成される。機種情報は、当該電子楽器の機種名や機種ＩＤ、発音手段の系列数などを含み、機種情報に続く複数の発音系列設定情報は、各系列の発音手段（発音系列）毎に発音機能を表わす。また、その他情報には、例えば、自動演奏や自動伴奏などに関する設定情報が含まれる。
【００３０】
発音系列毎の設定情報については、例えば、上位機種の電子楽器ＥＭａの環境設定に用いられる上位機種用レジストレーションデータＲｇａでは、（１ａ）のように、アッパー１設定情報、アッパー２設定情報、リード１設定情報、リード２設定情報、ロワー１設定情報、ロワー２設定情報、ペダル１設定情報及びペダル２設定情報があり、発音手段の系列数は「８」である。また、下位機種の電子楽器ＥＭｂの環境設定に用いられる下位機種用レジストレーションデータＲｇｂの発音系列設定情報には、（１ｂ）のように、アッパー１設定情報、アッパー２設定情報、リード設定情報、ロワー１設定情報、ロワー２設定情報、ペダル１設定情報及びペダル２設定情報があり、発音系列数は「７」である。
【００３１】
各発音系列設定情報は、当該系列の発音手段（発音系列）に設定される発音機能を表わす種々の情報で構成され、例えば、図３（２）に示すように、当該発音系列において楽音信号を生成するか否かという発音機能の有効性（発音オン［発音機能有効］／発音オフ［発音機能無効］）を決定する発音オン／オフ情報や、当該発音系列で生成される楽音信号のボリューム（音量［レベル、値］）を設定するボリューム情報（音量［値］情報）の外に、音色情報、エフェクト情報、タッチセンシティビティ情報、フィート（オクターブ）情報、パン情報、チューニング情報、トランスポーズ情報、ｔｏロワーオン／オフ情報及びその他の必要情報で構成される。なお、下鍵盤割当て変更機能を表わすｔｏロワーオン／オフ情報については、図２で説明した発音系列構成例の場合、※印で示すように、上位機種ＥＭａのリード１設定情報と下位機種ＥＭｂのリード設定情報にのみ設定される。
【００３２】
上位機種ＥＭａのレジストレーションデータＲｇａと下位機種ＥＭｂのレジストレーションデータＲｇｂとは互いに互換性があり、一方の機種で作成されたレジストレーションデータを他方の機種でも利用することができる。しかし、両機種ＥＭａ，ＥＭｂ間では、発音系列自体の相違と同様に、レジストレーションデータに基づく設定も相違し、例えば、上位機種ＥＭａにおいてはリード１及びリード２の設定があるが、下位機種ＥＭｂはリードしかない。このため、この設定データ利用システムにおいては、機種間における設定の相違に起因する各種不具合をなるべく解消するように工夫している。
【００３３】
〔発音系列の割当て〕
上位機種の電子楽器ＥＭａで作成された上位機種用レジストレーションデータＲｇａは、例えば、記憶装置４の可搬性記憶媒体に記録し、当該記憶媒体から下位機種の電子楽器ＥＭｂに読み込む等の方法により、下位機種ＥＭｂでの演奏環境設定に利用することができる。図２に示す上位機種ＥＭａの発音系列ＳＵ１〜ＳＵ４；ＳＬ１，ＳＬ２；ＳＰ１，ＳＰ２に対応する図３（１ａ）の上位機種用レジストレーションデータＲｇａ＝ｓｕ１〜ｓｕ４；ｓｌ１，ｓｌ２；ｓｐ１，ｓｐ２を下位機種ＥＭｂで読み込んだ場合、従来技術による割当て手法では、データＲｇａが示す設定状態に拘わらず、下位機種ＥＭｂの発音系列ＳＵ１〜ＳＰ２には、図４に示すように、常に固定的に発音機能が割り当てられる。
【００３４】
すなわち、上位機種用レジストレーションデータＲｇａの各発音系列の設定情報は、下位機種ＥＭｂの対応する発音系列に対する発音機能の設定に利用され、各設定情報が表わす各発音系列ｓｕ１，ｓｕ２（上鍵盤：アッパー１及びアッパー２）；ｓｌ１，ｓｌ２（下鍵盤：ロワー１及びロワー２）；ｓｐ１，ｓｐ２（ペダル鍵盤：ペダル１及びペダル２）の発音機能は、そのまま、下位機種ＥＭｂの対応する発音系列ＳＵ１〜ＳＵ３；ＳＬ１，ＳＬ２；ＳＰ１，ＳＰ２にそれぞれ割り当てられる。従って、上位機種用設定データＲｇａの発音系列ｓｕ３（上鍵盤：リード１）の発音機能も、常に、対応する下位機種ＥＭｂのリード発音系列ＳＵ３に固定的に割り当てられ、発音系列ｓｕ４（上鍵盤：リード２）については下位機種ＥＭｂへの割当ては無い。
【００３５】
これに対し、この設定データ利用システムでは、図５及び図６の割当て例に示されるように、上位機種用レジストレーションデータＲｇａが示す設定状態（ケース）Ｃａに応じて、次の（１）〜（４）のように、下位機種ＥＭｂの発音系列ＳＵ１〜ＳＰ２への発音機能の割当てが制御され、各発音系列を有効に利用することができる。
【００３６】
（１）第１ケースＣａ１に該当する場合（Ｃａ＝Ｃａ１）
上位機種用レジストレーションデータＲｇａの発音オン／オフ情報及びボリューム情報（音量値情報）により、（１ａ）上位機種ＥＭａにおけるリード１発音系列ｓｕ３が「発音オフ」に設定され、リード２の発音系列ｓｕ４が「発音オン」に設定されている場合、或いは、（１ｂ）上位機種ＥＭａにおけるリード１及びリード２発音系列ｓｕ３，ｓｕ４が共に「発音オン」に設定されており、リード１のボリューム（音量又は音量値）がリード２のボリュームより小さい（リード１音量値＜リード２音量値）設定がなされている場合には、システムは、第１ケースＣａ１に該当すると判断し、図５（Ａ）に示すように、上位機種ＥＭａのリード２発音系列ｓｕ４に設定されている発音機能を下位機種ＥＭｂのリード発音系列ＳＵ３に割り当て、上位機種ＥＭａの他の発音系列ｓｕ１，ｓｕ２；ｓｌ１，ｓｌ２；ｓｐ１，ｓｐ２に設定されている発音機能は、それぞれ、下位機種ＥＭｂの対応する発音系列ＳＵ１，ＳＵ２；ＳＬ１，ＳＬ２；ＳＰ１，ＳＰ２に割り当てる。
【００３７】
つまり、第１ケースＣａ１のように、上位機種ＥＭａにおいて、リード１発音系列ｓｕ３が鳴らないように設定されている場合、或いは、鳴ってもリード２発音系列ｓｕ４よりも音量が小さくリード２の方が目立つように設定されている場合は、下位機種ＥＭｂにおいてはリード２発音系列ｓｕ４の設定でリードを鳴らすようにする。これにより、リードが鳴らない状態或いは鳴ってもあまり目立たない状態になることを防ぐ。特に、上位機種ＥＭａにおいてアッパー１及びアッパー２が鳴らない或いは鳴っても音量が小さいように設定されている場合には、目立つ音はリードだけとなるので、このように割当てを制御することで、上鍵盤ＵＫｂで確実に音が鳴るようにする。なお、この場合、下位機種ＥＭｂにおけるリード発音系列ＳＵ３のｔｏロワーオン／オフ情報の内容は、設定データＲｇａにおけるリード２発音系列ｓｕ４の設定情報にｔｏロワーオン／オフ情報が無いことによって空白（不定）にならないように、自動的に、「オフ」に書き換えられる。
【００３８】
（２）第２ケースＣａ２に該当する場合（Ｃａ＝Ｃａ２）
上位機種用レジストレーションデータＲｇａにより、上位機種ＥＭａにおいて、リード１の発音系列ｓｕ３が「発音オン」及びｔｏロワー機能＝オンに設定されて下鍵盤ＬＫａに対応するリード１ｔｏロワーの発音系列ｓｌ３に鍵盤変更されると共に、リード２の発音系列ｓｕ４も「発音オン」に設定されており、且つ、リード１（即ちリード１ｔｏロワー）及びリード２のボリュームともに比較的大きい値に設定されるのに対して、アッパー１及び／又はアッパー２のボリュームは比較的小又は発音オフに設定されている場合には、システムは、第２ケースＣａ２に該当すると判断し、上位機種ＥＭａのリード１及びリード２発音系列ｓｕ３，ｓｕ４に設定されている発音機能を、それぞれ、下位機種ＥＭｂのリード１発音系列ＳＵ３及びアッパー１発音系列ＳＵ１及び／又はアッパー２発音系列ＳＵ２に割り当てる。
【００３９】
これにより、例えば、上位機種ＥＭａのリード２発音系列ｓｕ４の発音機能が下位機種ＥＭｂのアッパー１発音系列ＳＵ１に割り当てられたときは、図５（Ｂ）に示すように、上位機種ＥＭａの発音系列ｓｌ３におけるリード１ｔｏロワーの機能が下位機種ＥＭｂのリードｔｏロワーの発音系列ＳＬ３に与えられると共に、上位機種ＥＭａの発音系列ｓｕ４におけるリード２の発音機能が下位機種ＥＭｂの発音系列ＳＵ１に与えられ、上位機種ＥＭａの発音系列ｓｕ１に与えられていたアッパー１の発音機能は下位機種ＥＭｂには割り当てられない。なお、上位機種ＥＭａのアッパー１発音系列ｓｕ１を除く他の発音系列ｓｕ２；ｓｌ１，ｓｌ２；ｓｐ１，ｓｐ２に設定されている発音機能は下位機種ＥＭｂの対応する発音系列ＳＵ２；ＳＬ１，ＳＬ２；ＳＰ１，ＳＰ２に割り当てる。
【００４０】
第２ケースＣａ２のように、上位機種ＥＭａにおいて、アッパー１及び／又はアッパー２は、ボリュームが比較的小さい（例えば、予め定められた設定範囲の中央値乃至１／３値未満など）か或いは発音されず、リード２のボリュームが比較的大きい（例えば、前述と同様に、設定範囲の中央値乃至１／３以上など）場合、上鍵盤ＵＫａで重要な音はリード２であると考えられる。また、上位機種ＥＭａのリード１は、ｔｏロワー機能により下鍵盤ＬＫａで鳴らす音（ｓｌ３）とされ、下位機種ＥＭｂでも下鍵盤ＬＫｂ（ＳＬ３）で鳴らすことになるので、リード２を下位機種ＥＭｂのリード（ＳＬ３）に設定することはできない。かといって、リード２の機能を下位機種ＥＭｂで捨てると、上鍵盤ＵＫｂにおける重要な音がなくなってしまう。そこで、比較的重要でない上位機種ＥＭａのアッパー１又はアッパー２を捨てて、その代わりに、上述したように、上位機種ＥＭａにおけるリード２の設定をアッパー１又はアッパー２の発音系列ＳＵ１，ＳＵ２に設定する。
【００４１】
なお、上位機種ＥＭａのアッパー１及びアッパー２のボリュームが、共に、比較的小或いは発音しない場合は、上位機種ＥＭａのリード２を下位機種ＥＭｂのアッパー１及びアッパー２（ＳＵ１，ＳＵ２）の何れに設定してもよい。この場合、例えば、デフォルトでアッパー１（ＳＵ１）とする、ユーザに何れか（ＳＵ１，ＳＵ２）を選択させる、等の方法を採ることができる。
【００４２】
（３）第３ケースＣａ３に該当する場合（Ｃａ＝Ｃａ３）
上位機種用レジストレーションデータＲｇａにより、上位機種ＥＭａにおいて、リード１の発音系列ｓｕ３が「発音オン」及びｔｏロワー機能＝オンに設定されて下鍵盤ＬＫａに対応するリード１ｔｏロワーの発音系列ｓｌ３に鍵盤変更されると共に、リード２の発音系列ｓｕ４も「発音オン」に設定されており、且つ、リード１（即ちリード１ｔｏロワー）のボリュームがロワー１及びロワー２発音系列ｓｌ１，ｓｌ２に比較して小さい値であるのに対して、リード１のボリュームは比較的大きい値に設定されている場合には、システムは、第３ケースＣａ３に該当すると判断し、図６（Ａ）に示すように、上位機種ＥＭａのリード２発音系列ｓｕ４に設定されている発音機能を下位機種ＥＭｂのリード１発音系列ＳＵ３に割り当て、上位機種ＥＭａにおけるリード１ｔｏロワーの発音系列ｓｌ３に対応するリードｔｏロワーの設定は捨てる。なお、上位機種ＥＭａの他の発音系列ｓｕ１，ｓｕ２；ｓｌ１，ｓｌ２；ｓｐ１，ｓｐ２に設定されている発音機能は下位機種ＥＭｂの対応する発音系列ＳＵ２；ＳＬ１，ＳＬ２；ＳＰ１，ＳＰ２に割り当てる。
【００４３】
つまり、レジストレーションデータＲｇａにおいてｔｏロワー設定されたリード１のボリュームがロワー１及び／又はロワー２と比較して小さい場合、リード１は重要な音ではなく補助的に鳴らす程度の音と考えられる。一方、リード２のボリュームが比較的大きい場合、上鍵盤で重要な音はリード２であると考えられる。そこで、比較的重要でないリード１ｔｏロワー発音系列ｓｌ３を捨て、その代わりにリード２発音系列ｓｕ４の設定を下位機種ＥＭｂのリード発音系列ＳＵ３に設定する。なお、この場合、（１）の場合と同様に、発音系列ＳＵ３のｔｏロワーオン／オフ機能をオフに設定する。
【００４４】
なお、上述のようにリード１のボリュームをロワー１及び／又はロワー２のボリュームと比較するものに限らず、リード１のボリュームがリード２のボリュームより小さいときに（リード１音量値＜リード２音量値）、このような設定としてもよい。
【００４５】
（４）その他ケースＣａｅの場合（Ｃａ＝Ｃａｅ）
上述した（１）〜（３）以外の場合には、システムは、その他ケースＣａｅと判断し、図６（Ｂ）に示すように、上位機種ＥＭａのリード１発音系列ｓｕ３に設定されている発音機能を下位機種ＥＭｂのリード発音系列ＳＵ３に割り当てて、上位機種のリード１を下位機種のリードに設定し、他の発音系列ｓｕ１，ｓｕ２；ｓｌ１，ｓｌ２；ｓｐ１，ｓｐ２の発音機能は下位機種ＥＭｂの対応系列にそのまま割り当てる。
【００４６】
このように、この電子楽器の設定データ利用システムでは、電子楽器ＥＭ；ＥＭａ，ＥＭｂに備えられた複数の発音系列（パート）の発音機能を設定するのに設定データＲｇ；Ｒｇａ，Ｒｇｂを用いることができ、設定データＲｇは各発音系列の発音オン／オフ情報又は音量値情報を含む。上位機種の電子楽器ＥＭａに対する設定データＲｇａを利用して下位機種の電子楽器ＥＭｂにおける発音系列ＳＵ１〜ＳＰ２の発音機能を設定する場合は（設定データＲｇａにより発音機能が設定されている発音系列の数＞電子楽器ＥＭｂの発音系列数）、設定データＲｇａについて各発音系列ｓｕ１〜ｓｐ２の発音オン／オフ情報乃至音量値情報をチェック（比較）し、このチェック結果Ｃａに応じて、設定データＲｇａに含まれる所定発音系列の発音機能を電子楽器ＥＭｂの所定発音系列に割り当てる。その際、演奏操作子系列ＵＫｂ；ＬＫｂ；ＰＫｂに対応して１乃至複数の発音系列ＳＵ１〜ＳＵ３；ＳＬ１，ＳＬ２；ＳＰ１，ＳＰ２があるときには、設定データＲｇａについて、発音系列数が電子楽器ＥＭｂより多い演奏操作子系列ＵＫａに対応する特定の発音系列ｓｕ１〜ｓｕ４の発音オン／オフ情報乃至音量値情報をチェックする。そして、チェック結果Ｃａ＝Ｃａ１；Ｃａ２；Ｃａ３；Ｃａｅに応じて、特定の発音系列における所定発音系列ｓｕ４〔Ｃａ１〕；ｓｕ３（ｓｌ３），ｓｕ４〔Ｃａ２〕；ｓｕ４〔Ｃａ３〕；ｓｕ３〔Ｃａｅ〕の発音機能を電子楽器ＥＭｂの所定発音系列ＳＵ３〔Ｃａ１〕；ＳＵ３（ＳＬ３），ＳＵ１〔Ｃａ２〕；ＳＵ３〔Ｃａ３〕；ＳＵ３〔Ｃａｅ〕に割り当てる。
【００４７】
〔種々の実施態様〕
以上、種々のケースに応じた割当て設定の一例を説明したが、（１）〜（３）の第１〜第３ケースＣａ１〜Ｃａ３以外にも、その他ケースＣａｅとせず（４）のように設定しない別のケースがあってもよい。
【００４８】
また、（１）〜（３）の第１〜第３ケースＣａ１〜Ｃａ３に該当する場合であって、リード２の発音系列ｓｕ４に設定されている音色の発音方式が他の発音系列に設定することができないものである場合、例えば、リード２の発音系列ｓｕ４が物理モデル方式であり、その他の発音系列が波形メモリ方式である場合には、リード２の発音系列ｓｕ４に設定されている音色に類似した他の発音系列の発音方式の音色に置き換えた後で、リード２の発音機能を他の発音系列に割り当てるようにする。
【００４９】
また、（１）〜（４）の全てのケースに言えるが、リードパート（発音系列）が２つから１つに減ることにより、全発音系列の音量バランスが崩れることがある。このため、発音系列が減った鍵盤の音量を他の鍵盤に比べて相対的に上げることで、所定の鍵盤の音量を自動又は手動で調整し平衡をとることができるように構成される。例えば、上位機種ＥＭａにおける上鍵盤ＵＫａの発音系列ｓｕ１〜ｓｕ４から下位機種ＥＭｂにおける上鍵盤ＵＫｂの発音系列ＳＵ１〜ＳＵ３に減った場合、これに応じて、上鍵盤ＵＫｂの各発音系列ＳＵ１〜ＳＵ３に設定される音量を上げる方法、他の鍵盤ＬＫｂ，ＰＫｂの各発音系列ＳＬ１，ＳＬ２；ＳＰ１，ＳＰ２の音量を下げる方法、或いは、両方を併用する方法など、種々の音量バランス変更法を採用することができる。
【００５０】
以上の説明では、演奏操作子系列については、上鍵盤系列ＵＫ、下鍵盤系列ＬＫ並びにペダル鍵盤系列ＰＫを有し、これら３つの演奏操作子系列に対応する発音系列の構成については、アッパー１、アッパー２、リード１及びリード２の各系列、ロワー１及びロワー２の各系列、並びにペダル１及びペダル２の各系列を有する電子楽器の例を示したが、これに限らない。例えば、鍵盤として１つの鍵盤を備える電子楽器で、鍵盤上のスプリットポイントで鍵域を左右に分割し、分割された左（低音）鍵域及び右（高音）鍵域を演奏操作子系列とし、各鍵域系列毎に１乃至複数系列の発音手段を割り当てることができる。
【００５１】
この場合、上位機種は、左鍵域に対してレフト右鍵域に対してライト１及びライト２の３系列を有し、下位機種は左右鍵域に夫々対応するレフト及びライトの２系列しかないものとすると、上位機種のレジストレーションデータを下位機種で読み込んだ場合、上位機種のライト１及びライト２をどのようにして下位機種の発音系列に割り当てるかについては、（１）〜（４）と同様の手法で発音オン／オフや音量値に応じて制御することができる。例えば、上位機種の３系列が発音オンである典型的なケースでは、上位機種のライト１及びライト２のうちでボリュームの大きい方を下位機種のライトに設定する。
【００５２】
ユーザインターフェースについては、上位機種のリード１を下位機種のリードに割り当てることをデフォルトとし、デフォルト設定とするか或いはケースに応じて適宜割当てを変更するかをユーザに選択させるようにしてもよい。この場合、電子楽器のシステム設定により、「デフォルト設定」／「適宜割当て変更」を事前に選んでおくようにしてもよいし、レジストレーションデータの読み込み時に、どちらにするかをユーザが選択するようにしてもよい。また、何れかの方法でレジストレーションデータを読み込んで設定した後に、実際に音を発音させてみてから他方に変更できるようにしてもよい。音量バランス変更についても、同様に「変更しない」／「変更する」をユーザに選択させるのがよい。
【００５３】
〔処理フロー例〕
図７は、この発明の一実施例による下位機種の電子楽器におけるレジストレーション読込み処理を表わすフローチャートである。最上位機種ではない任意の下位機種電子楽器ＥＭｂにおいて、利用しようとするレジストレーションデータ（設定データ）Ｒｇが記憶された可搬性記憶媒体を記憶装置４の駆動部に挿着すると、ＣＰＵ１は、設定データ利用プログラムに従って、まず、ステップＳ１で、当該記憶媒体からレジストレーションデータＲｇをＲＡＭ２上に読み込む。次のステップＳ２では、このレジストレーションデータＲｇの機種情報から、当該レジストレーションデータＲｇがこの電子楽器ＥＭｂより上位機種の電子楽器ＥＭａのためのデータＲｇａであるか否かを判定する。
【００５４】
ここで、読み込んだレジストレーションデータＲｇが上位機種ＥＭａ用のレジストレーションデータＲｇａであると判定したときは（Ｓ２＝ＹＥＳ）、ステップＳ３に進んで順次ステップＳ３〜Ｓ６の処理を実行する。まず、ステップＳ３では、読み込んだレジストレーションデータＲｇａのうち、複数の所定発音系列の設定情報に含まれるボリューム情報及び発音オン／オフ情報の内容を調べて、各発音系列の発音オン／オフ状態乃至ボリューム（音量値）を比較し、比較結果に応じて、所定発音系列の設定情報に基づく発音機能をこの電子楽器ＥＭｂの所定発音系列に割り当てる。
【００５５】
例えば、図２の下位機種電子楽器ＥＭｂに図３（１ａ）のレジストレーションデータＲｇａが読み込まれた場合、（１）〜（４）で説明したように、レジストレーションデータＲｇａにおける発音系列ｓｕ１〜ｓｕ４の発音オン／オフ状態乃至ボリュームに応じて、リード１及びリード２発音系列ｓｕ３，ｓｕ４の何れか一方又は両方を電子楽器ＥＭｂの所定発音系列に割り当てる。より具体的にいうと、発音系列ｓｕ１，ｓｕ２，ｓｕ３，ｓｕ４の発音オン／オフ状態乃至ボリュームを比較した結果Ｃａ１；Ｃａ２；Ｃａ３；Ｃａｅに応じて、所定の発音系列ｓｕ４〔Ｃａ１〕；ｓｌ３（ｓｕ３のｔｏロワー機能オンによる），ｓｕ４〔Ｃａ２〕；ｓｕ４〔Ｃａ３〕；ｓｕ３〔Ｃａｅ〕の発音機能を電子楽器ＥＭｂの所定の発音系列ＳＵ３〔Ｃａ１〕；ＳＬ３（ＳＵ３のｔｏロワー機能オンによる），ＳＵ１〔Ｃａ２〕；ＳＵ３〔Ｃａ３〕；ＳＵ３〔Ｃａｅ〕に割り当てる。
【００５６】
ステップＳ３の割当て処理のステップＳ４に進み、必要に応じてｔｏロワー機能のオフを行い、必要がなければこのステップＳ４をスルーする。例えば、上述の場合において比較結果Ｃａ１，Ｃａ３が得られたときは、（１），（３）で説明したように、レジストレーションデータＲｇａの発音系列ｓｕ４（ｔｏロワーオン／オフ情報無し）を電子楽器ＥＭｂの発音系列ＳＵ３（同情報有り）に割り当てることでｔｏロワー機能が空白（不定）にならないように、発音系列ＳＵ３のｔｏロワーオン／オフ情報を「オフ」に設定する。
【００５７】
次のステップＳ５では、電子楽器ＥＭｂの発音系列のうち、ステップＳ３で割り当てられなかった残りの発音系列に対応するレジストレーションデータＲｇａの発音系列の設定情報を電子楽器ＥＭｂの当該残りの発音系列に設定する。
【００５８】
続くステップＳ６では、必要に応じて、音量バランスの変更処理を行う。例えば、上述の場合、レジストレーションデータＲｇａにおける上鍵盤ＵＫａに対応する４つの発音系列ｓｕ１〜ｓｕ４のうち３つの発音系列ｓｕ１〜ｓｕ３が電子楽器ＥＭｂの上鍵盤ＵＫｂに対応する発音系列ＳＵ１〜ＳＵ３に割り当てられた場合、電子楽器ＥＭｂの全鍵盤ＵＫｂ，ＬＫｂ，ＰＫｂに対応する発音系列のボリューム情報を調べて各鍵盤間で音量バランスが崩れることが検出されたときは、これに応じて、各鍵盤間で音量バランスがとれるように、各鍵盤に対応する発音系列のボリューム情報の値を相対的に調整する。
【００５９】
音量バランスの変更処理の後、或いは、音量バランス変更の必要がなくこのステップＳ６をスルーしたときは、ステップＳ３〜Ｓ６の処理で得られた結果に従って電子楽器ＥＭｂの各発音系列に発音機能を設定し、また、必要に応じて、記憶装置４の所要の記憶媒体に保存する処理を行う。そして、今回のレジストレーション読込み処理を終了し、次のユーザ操作を待機する状態にリターンする。
【００６０】
一方、読み込んだレジストレーションデータＲｇが同位機種か下位機種用のレジストレーションデータであると判定したときには（Ｓ２＝ＮＯ）、読み込んだレジストレーションデータＲｇを全て電子楽器ＥＭｂに設定する。つまり、当該レジストレーションデータＲｇに含まれる全ての発音系列の設定情報が表わす発音機能を、そのまま、電子楽器ＥＭｂの対応する発音系列（例えば、ＳＵ１〜ＳＰ２）に割り当てて、電子楽器ＥＭｂに設定する。そして、必要に応じて、記憶装置４の所要の記憶媒体に保存した後、今回のレジストレーション読込み処理を終了し、次のユーザ操作を待機する状態にリターンする。
【図面の簡単な説明】
【００６１】
【図１】この発明の一実施例による電子楽器のハードウエア構成図である。
【図２】各機種の発音系列構成を説明するための図である。
【図３】この発明の一実施例による電子楽器の設定データ利用システムで利用されるレジストレーションの例を表わす図である。
【図４】従来の発音系列割当て例を表わす図である。
【図５】この発明の一実施例による発音系列割当て例〔１〕を表わす図である。
【図６】この発明の一実施例による発音系列割当て例〔２〕を表わす図である。
【図７】この発明の一実施例による下位機種におけるレジストレーション読込み処理を表わすフローチャートである。
【符号の説明】
【００６２】
ＥＭ：ＥＭａ，Ｅｍｂ  電子楽器（ａ＝上位機種、ｂ＝下位機種）
ＵＫａ，ＵＫｂ；ＬＫａ，ＬＫｂ；ＰＫａ，ＰＫｂ  演奏操作子又は演奏操作子系列、
Ｒｇ：Ｒｇａ，Ｒｇｂ  レジストレーションデータ又は設定データ、
ＳＵ：ＳＵ１，…，ＳＬ；ＳＬ１，…，ＳＰ；ＳＰ１，…  発音手段又は発音系列、
ｓｕ１，…；ｓｌ１，…，ｓｐ１，…  設定データＲｇ上の発音手段又は発音系列。
【図１】
2008292771.tif 000003
【図２】
2008292771.tif 000004
【図３】
2008292771.tif 000005
【図４】
2008292771.tif 000006
【図５】
2008292771.tif 000007
【図６】
2008292771.tif 000008
【図７】
2008292771.tif 000009